(57)【要約】      （修正有）【課題】対象物と使用者を結びつけたマルチ掛け式落下防止用安全ロープを提供する。【解決手段】落下防止用安全ロープは、二段連結式安全ロープ本体１０と、２つの連結ユニット２０と、連結掛けリング３０とを含む。二段連結式安全ロープ本体１０は、二段連結形態に形成され、第一安全ロープ１１と第二安全ロープ１２を備える。第一安全ロープ１１は、織糸で編績し、波状の湾曲部を有し、かつ幅が変化する織帯管体である。その内部には、平坦で直線状の弾力伸縮線が編績されている。２つの連結ユニット２０はそれぞれ、該第一、第二安全ロープの外側に設けられ、かつ使用者または工具を結び付けることができる形状に設けられている。連結掛けリング３０は、該第一、第二安全ロープが対向する内端を連結して、該第一、第二安全ロープが二段連結式構造になるようにする。連結掛けリング３０には、所定の環状に形成され、かつ余分な縄や対象物が掛けるための掛けセクション３１が設けられている。【選択図】図１
0003190485.tif 000002
【実用新案登録請求の範囲】
【請求項１】
対象物と使用者を連結して、該対象物が落下することを防ぎ、かつ二段連結式安全ロープ本体１０と、２つの連結ユニット２０と、連結掛けリング３０とを含むマルチ掛け式落下防止用安全ロープにおいて、
前記二段連結式安全ロープ本体１０は、二段連結形態に形成され、第一安全ロープ１１と第二安全ロープ１２を備え、該第一安全ロープ１１は、織糸で編績するものであり、かつ波状の湾曲部を有し、幅が変化する織帯管体であり、第一安全ロープ１１の内部に平坦で直線状の弾力伸縮線１３が編績されていることにより、第一安全ロープ１１が可撓性及び弾性を有し、
前記２つの連結ユニット２０はそれぞれ、該第一安全ロープ１１と第二安全ロープ１２との外側に設けられ、かつ使用者または対象物を結び付けることができる形状に設けられており、
前記連結掛けリング３は、該第一安全ロープ１１と第二安全ロープ１２とが対向する内端を連結して、該第一安全ロープ１１と第二安全ロープ１２とが二段連結式構造になるようにし、該連結掛けリング３０には、所定の環状に形成され、かつ余分な縄や対象物を掛けるための掛けセクション３１が設けられているので、連結機能だけではなく、マルチ掛け機能を有することを特徴とするマルチ掛け式落下防止用安全ロープ。
【請求項２】
前記連結掛けリング３０は、円形リング、橢円形リング、方形リング、多辺形リングまたは文字８字形回転リング中のいずれの一種であり、該連結掛けリング３０が文字８字形回転リングである場合、連結掛けリング３０が相対して回転することにより、該掛けセクション３１に掛けられている縄や対象物が絡むことを防ぐことができることを特徴とする請求項１に記載のマルチ掛け式落下防止用安全ロープ。
【請求項３】
該掛けセクション３１には、数本の余分な縄が掛けられており、該縄は、該マルチ掛け式落下防止用安全ロープ０５、または第一安全ロープ１１のように可撓性及び弾性を有するものであるか、あるいは、一体的に編績される可撓性のないものであり、使用者が縄を自由に選択して使用することにより、使用時の選択性と利便性を改善することを特徴とする請求項１または２に記載のマルチ掛け式落下防止用安全ロープ。
【考案の詳細な説明】
【技術分野】
【０００１】
本考案は、落下防止用安全ロープに関わり、特にオリジナルなマルチ掛け式落下防止用安全ロープ構造に関する。
【背景技術】
【０００２】
高所（例えば、高層ビルの外壁など）で工事に従事する従業員にとって、従業員の手元にある工具が不注意により落下した場合、その下の工事担当者や、近くの通行人に怪我をさせたり、車両などに損害を与えたりするという危険性懸念がある。そのため、業界で、手工具と従業員を結び付ける落下防止用安全ロープを開発した。該落下防止用安全ロープ具による連結作用を利用して、工具が落下することを防ぐ。
【０００３】
従来の一般的な落下防止用安全ロープは通常、長く延伸された縄で、その両端をそれぞれ工事担当者と手工具に連結させることにより、工事担当者と手工具との間の連結状態を実現する。しかし、このような従来の落下防止用安全ロープは、非常によく見られ、手工具の落下防止を果すこともできるものだが、機能から言えば、まだ不十分な所が残されている。従来の落下防止用安全ロープを使用するとき、工具と使用者を結び付ける連結機能のみを奏することができるので、機能が単一で、他の付加機能を有していない。端形状が異なる様々な工具を結び付けるため、当該業者が落下防止用安全ロープ両端の留め具を改良したが、やはり工具と使用者を結び付けるという連結機能のみを有し、機能が単一であるという欠点を避けることができなかった。
【０００４】
それゆえ、上述した従来の構造に存在する問題点について、どのようにより理想的で実用性のあるオリジナルな構造を開発するが、使用者が望むことで、関連業者が努力して開発する目標と方向でもある。
【０００５】
それに鑑みて、考案者は関連製品の製造開発や設計に携わる長年の経験を持っており、上述した目標について、詳しく設計を行い、慎重に評価したうえ、ようやく、実用性のある本考案を得られたわけである。
【考案の概要】
【考案が解決しようとする課題】
【０００６】
本考案は、該対象物と使用者を結び付けて、対象物が落下することを防ぐマルチ掛け式落下防止用安全ロープを提供することを目的とし、解決しようとする課題は、より理想的で、実用性のあるオリジナルものを開発することにある。
【課題を解決するための手段】
【０００７】
上述した課題を解決するため、本考案は次のようなマルチ掛け式落下防止用安全ロープを提供する。本考案の落下防止用安全ロープは、対象物と使用者を連結して、該対象物が落下することを防ぎ、かつ二段連結式安全ロープ本体と、２つの連結ユニットと、連結掛けリングとを含む。二段連結式安全ロープ本体は、二段連結形態に形成され、第一安全ロープと第二安全ロープを備える。該第一安全ロープは、織糸で編績し、波状の湾曲部を有し、幅が変化する織帯管体である。第一安全ロープの内部に平坦で直線状の弾力伸縮線が編績されていることにより、可撓性及び弾性を有する。２つの連結ユニットはそれぞれ、該第一安全ロープと第二安全ロープとの外側に設けられ、かつ使用者または対象物を結び付けることができる形状に設けられている。連結掛けリングは、該第一安全ロープと第二安全ロープとが対向する内端を連結して、該第一安全ロープと第二安全ロープとが二段連結式構造になるようにする。該連結掛けリングには、所定の環状に形成され、かつ余分な縄や対象物が掛けるための掛けセクションが設けられているので、本考案は連結機能だけではなく、マルチ掛けという付加機能も有する。
【考案の効果】
【０００８】
本考案が上述した新規な構造を有していることにより、本考案と従来の技術を比較してみると、次のような考案の効果を奏することができる。すなわち、本考案を使用するとき、二段連結式安全ロープ本体の両端を使用者と対象物を連結させたあと、使用ニーズに応じて、需要な対象物や縄を連結掛けリングに掛けることができる。したがって、本考案を使用する際、需要な対象物や縄を選択して使用することができるので、使用時の選択性及び利便性を改善することができる。すなわち、本考案のマルチ掛け式落下防止用安全ロープの実用性、付加価値や付加機能を大幅に向上させ、様々な使用ニーズを満すことができる。
【図面の簡単な説明】
【０００９】
【図１】本考案の立体図。
【図２】本考案の第一安全ロープの内部構造の立体図。
【図３】本考案の使用状態イメージ。
【図４】本考案の使用状態イメージ。
【図５】本考案の連結掛けリングの実施形態イメージ。
【図６】本考案の連結掛けリングの実施形態イメージ。
【図７】本考案の連結掛けリングの実施形態イメージ。
【考案を実施するための形態】
【００１０】
図１〜図４に示すのは、本考案のマルチ掛け式落下防止用安全ロープの好適な実施例である。それらの実施例は、本考案を説明するものであるが、本考案の構造を限定する意図はない。本考案のマルチ掛け式落下防止用安全ロープ０５は、対象物の落下を防ぐため、使用者（図４の矢印Ａ）と対象物（図４の矢印Ｂ）を結び付けるものである。ここでいう対象物は、手工具、電子製品またはメンテナンス工具などをいうが、本実施例では、手工具を例として説明する。本考案のマルチ掛け式落下防止用安全ロープ０５は、二段連結式安全ロープ本体１０と、２つの連結ユニット２０と、連結掛けリング３０とを含む。
【００１１】
二段連結式安全ロープ本体１０は、二段連結形態に形成され、第一安全ロープ１１と第二安全ロープ１２を備える。少なくとも該第一安全ロープ１１は、織糸で編績するものであり、波状の湾曲部を有し、かつ幅が変化する織帯管体である。第一安全ロープ１１の内部に平坦で直線状の弾力伸縮線１３が編績されていることにより、第一安全ロープ１１が可撓性及び弾性を有している。他の実施形態において、該第一安全ロープ１１と第二安全ロープ１２はいずれも、可撓性及び弾性を有する形態（図５、図６）にすることができるが、本考案がそのような構造に限定されるものではない。
【００１２】
２つの連結ユニット２０はそれぞれ、該第一安全ロープ１１と第二安全ロープ１２との外側に設けられる。該連結ユニット２０は、使用者または対象物を結び付けることができる形状に設けられている。本実施例の該連結ユニット２０は、掛けフック、クリップまたは縄などであることができるが、そのような構造に限定されるものではない。
【００１３】
連結掛けリング３０は、該第一安全ロープ１１と第二安全ロープ１２とが対向する内端を連結して、該第一安全ロープ１１と第二安全ロープ１２とが二段連結式構造になるようにする。該連結掛けリング３０には、所定の環状に形成される掛けセクション３１が設けられているので、少なくとも、余分な縄（図３、図４のＣ）または対象物（図４のＤ）を掛けセクション３１に掛けることができる。図３に示すとおり、該掛けセクション３１には数本の余分な縄が掛けられている。該縄は、該マルチ掛け式落下防止用安全ロープ０５または第一安全ロープ１１のような可撓性及び弾性を有するものであるか、あるいは、一体的に編績される可撓性のないものであることができる。使用者がこのような縄を自由に選択して使用することにより、使用時の選択性と利便性を改善することができる。
【００１４】
上述した構造により、本考案のマルチ掛け式落下防止用安全ロープ０５は、既有の連結機能を有するだけでなく、マルチ掛けという付加機能を有している。従来の落下防止用安全ロープと比較してみると、本考案を使用するとき、図３、図４に示すように、該連結掛けリング３０の掛けセクション３１に余分な縄や対象物を掛けることができる。工事の現場において、従業員が需要する対象物（工具を例として）を該連結掛けリング３０に掛けておくことができる。したがって、工事を行うとき、掛けセクション３１から工具を自由に選択して使用することができるので、工具ボックスを持たなくてもよい。連結掛けリング３０に余分な縄が掛けられている場合、該縄の一端を従業員が使用している対象物に結び付けることにより、対象物との連結安定性を向上させるとともに、工事中の安全性を向上させることができる。すなわち、本考案のマルチ掛け式落下防止用安全ロープの実用性、附加價値、付加機能を大幅に向上させ、様々な使用ニーズを満すことができる。
【００１５】
本考案の実施例に係る該連結掛けリング３０は、円形リング（図５）、橢円形リング（図６）、方形リング（図７）、多辺形リングまたは文字８字形回転リング（図１、図３）中のいずれかの一種であることができる。該連結掛けリング３０が文字８字形回転リングである場合、連結掛けリング３０が相対して回転することにより、該掛けセクション３１に掛けられている縄や対象物が絡むことを防ぐことができるので、使用上の利便性が高まる。
【００１６】
本考案による効果は次のとおりである。本考案に掲示された“マルチ掛け式落下防止用安全ロープ”は主に、二段連結式安全ロープ本体と連結掛けリングを備えてなるオリジナルな構造を有している。本考案と従来の技術を比較してみると、本考案を使用するとき、二段連結式安全ロープ本体の両端を使用者と対象物に連結させた後、使用ニーズに応じて需要な対象物や縄を連結掛けリングに掛けることにより、使用時の選択性及び利便性を改善することができる。すなわち、本考案のマルチ掛け式落下防止用安全ロープの実用性、付加価値や付加機能が大幅に向上させ、様々な使用ニーズを満すことができる。
【００１７】
上述した実施例に掲示したのは、本考案を具体的に説明するために用いられる内容であり、文の中で専門用語で説明してきたが、それを以て、本考案の実用新案登録請求の範囲を制限してはならないものとし、この分野が分かる者は、本考案のコンセプトや考えを理解して、それらの変更や改造を行って、それと同等な効果を得たとしても、それらの変更や改造は全て、後述する実用新案登録請求の範囲に含まれるものとする。
【符号の説明】
【００１８】
０５  マルチ掛け式落下防止用安全ロープ
１０  二段連結式安全ロープ本体
１１  第一安全ロープ
１２  第二安全ロープ
１３  弾力伸縮線
２０  連結ユニット
３０  連結掛けリング
３１  掛けセクション
【図１】
0003190485.tif 000003
【図２】
0003190485.tif 000004
【図３】
0003190485.tif 000005
【図４】
0003190485.tif 000006
【図５】
0003190485.tif 000007
【図６】
0003190485.tif 000008
【図７】
0003190485.tif 000009
【手続補正書】
【提出日】平成26年3月3日(2014.3.3)
【手続補正１】
【補正対象書類名】実用新案登録請求の範囲
【補正対象項目名】全文
【補正方法】変更
【補正の内容】
【実用新案登録請求の範囲】
【請求項１】
対象物と使用者を連結して、該対象物が落下することを防ぎ、かつ二段連結式安全ロープ本体（１０）と、２つの連結ユニット（２０）と、連結掛けリング（３０）とを含むマルチ掛け式落下防止用安全ロープにおいて、
前記二段連結式安全ロープ本体（１０）は、二段連結形態に形成され、第一安全ロープ（１１）と第二安全ロープ（１２）を備え、該第一安全ロープ（１１）は、織糸で編績するものであり、かつ波状の湾曲部を有し、幅が変化する織帯管体であり、第一安全ロープ（１１）の内部に平坦で直線状の弾力伸縮線（１３）が編績されていることにより、第一安全ロープ（１１）が可撓性及び弾性を有し、
前記２つの連結ユニット（２０）はそれぞれ、該第一安全ロープ（１１）と第二安全ロープ（１２）との外側に設けられ、かつ使用者又は対象物を結び付けることができる形状に設けられており、
前記連結掛けリング（３０）は、該第一安全ロープ（１１）と第二安全ロープ（１２）とが対向する内端を連結して、該第一安全ロープ（１１）と第二安全ロープ（１２）とが二段連結式構造になるようにし、該連結掛けリング（３０）には、所定の環状に形成され、かつ余分な縄や対象物を掛けるための掛けセクション（３１）が設けられているので、連結機能だけではなく、マルチ掛け機能を有することを特徴とするマルチ掛け式落下防止用安全ロープ。
【請求項２】
前記連結掛けリング（３０）は、円形リング、橢円形リング、方形リング、多辺形リング又は文字８字形回転リングのうちのいずれか一種であり、該連結掛けリング（３０）が文字８字形回転リングである場合、連結掛けリング（３０）が相対して回転することにより、該掛けセクション（３１）に掛けられている縄や対象物が絡むことを防ぐことができることを特徴とする請求項１に記載のマルチ掛け式落下防止用安全ロープ。
【請求項３】
該掛けセクション（３１）には、数本の余分な縄が掛けられており、該縄は、マルチ掛け式落下防止用安全ロープ（０５）、又は第一安全ロープ（１１）のように可撓性及び弾性を有するものであるか、或いは一体的に編績される可撓性のないものであり、使用者が縄を自由に選択して使用することにより、使用時の選択性と利便性を改善することを特徴とする請求項１又は２に記載のマルチ掛け式落下防止用安全ロープ。